(57)【要約】      （修正有）【課題】着脱自在のシートカバーを備える車両用であって、一旦取り付けられたシートカバーが容易に外れたり、位置ずれしてしまうことのない車両用シートを提供すること。【解決手段】シートカバー３０には、ベースカバー２０に取り付けられた被係合部材（玉縁）２１に係合可能である係合部材３１が取り付けられており、係合部材３１は、シートカバー３０の一方側に延びる部分３０ａに接続された第一の係合体３１１と、第一の係合体３１１に係合されるとともに、シートカバーの他方側に延びる部分３０ｂに接続された第二の係合体３１２と、を備え、シートカバー３０の一方側３０ａおよびシートカバー３０の他方側３０ｂの少なくともいずれか一方が引っ張られることで、第一の係合体３１１および第二の係合体３１２の一方が他方に対して相対的に移動し、第一の係合体３１１と第二の係合体３１２の間に被係合部材２１が挟み込まれる。【選択図】図４
2012223262.tif 000002
【特許請求の範囲】
【請求項１】
シートパッドを覆うベースカバーと、このベースカバーに対して着脱自在であるシートカバーと、を備えた車両用シートであって、
前記シートカバーには、前記ベースカバーに取り付けられた被係合部材に係合可能である係合部材が取り付けられており、
前記係合部材は、
前記シートカバーの一方側に延びる部分に接続された第一の係合体と、
この第一の係合体に係合されるとともに、前記シートカバーの他方側に延びる部分に接続された第二の係合体と、を備え、
前記シートカバーの一方側および前記シートカバーの他方側の少なくともいずれか一方が引っ張られることで、前記第一の係合体および前記第二の係合体の一方が他方に対して相対的に移動し、前記第一の係合体と前記第二の係合体の間に前記被係合部材が挟み込まれることを特徴とする車両用シート。
【請求項２】
前記第一の係合体および前記第二の係合体は、それぞれ、前記シートカバーに接続される接続部および前記被係合部材を挟む挟持部を有し、
前記接続部同士が離れる方向に移動することで前記挟持部同士が近づく方向に移動するように両係合体が回転自在に係合されていることを特徴とする請求項１に記載の車両用シート。
【請求項３】
前記被係合部材は、前記ベースカバーに設けられた玉縁であることを特徴とする請求項１または請求項２に記載の車両用シート。
【発明の詳細な説明】
【技術分野】
【０００１】
本発明は、着脱自在のシートカバーを取り替えることにより、シート外観を変更することができる車両用シートに関する。
【背景技術】
【０００２】
特許文献１に記載されるように、シートパッドの一部を覆うシートカバー（いわゆる着せ替えカバー）が着脱可能に設けられたシートが知られている。かかる構成によれば、任意に選択した別のデザインのシートカバーに取り替えることで、シート外観を容易に変更することができる。この特許文献１には、シートカバーに設けられた接縁片をベースカバーの玉縁（ベースカバーを縁取りするように設けられた断面略円形の部分）に係合させることで、シートカバーを所定位置に取り付けることができるシートが記載されている。
【先行技術文献】
【特許文献】
【０００３】
【特許文献１】実開昭６３−３２６３号公報
【発明の概要】
【発明が解決しようとする課題】
【０００４】
しかし、特許文献１に記載の構成は、ベースカバーの玉縁という比較的小さい装飾材を利用してシートカバーを取り付ける構成であるため、シートカバーが容易に外れたり、位置ずれしてしまうという問題がある。
【０００５】
上記実情に鑑み、本発明が解決しようとする課題は、着脱自在のシートカバーを備える車両用シートであって、一旦取り付けられたシートカバーが容易に外れたり、位置ずれしてしまうことのない車両用シートを提供することにある。
【課題を解決するための手段】
【０００６】
上記課題を解決するために本発明にかかる車両用シートは、シートパッドを覆うベースカバーと、このベースカバーに対して着脱自在であるシートカバーと、を備えた車両用シートであって、前記シートカバーには、前記ベースカバーに取り付けられた被係合部材に係合可能である係合部材が取り付けられており、前記係合部材は、前記シートカバーの一方側に延びる部分に接続された第一の係合体と、この第一の係合体に係合されるとともに、前記シートカバーの他方側に延びる部分に接続された第二の係合体と、を備え、前記シートカバーの一方側および前記シートカバーの他方側の少なくともいずれか一方が引っ張られることで、前記第一の係合体および前記第二の係合体の一方が他方に対して相対的に移動し、前記第一の係合体と前記第二の係合体の間に前記被係合部材が挟み込まれることを要旨とする。
【０００７】
本発明にかかる車両用シートは、ベースカバーに取り付けられた被係合部材に係合部材が係合されることによって着脱自在のシートカバーが取り付けられる。具体的には、係合部材の第一の係合体と第二の係合体の間に被係合部材が挟まれることによりシートカバーが取り付けられる。そして、係合部材は、シートカバーの一方側に延びる部分に接続された第一の係合体と他方側に延びる部分に接続された第二の係合体を有し、シートカバーの一方側および他方側の少なくともいずれか一方が引っ張られることで、第一の係合体および第二の係合体の一方が他方に対して相対的に移動する。つまり、シートカバーの一方側および他方側の少なくともいずれか一方が引っ張られることで、第一の係合体と第二の係合体の間に被係合部材が強固に挟み込まれる。シートカバーは、乗員が着座することによって引っ張られるから、被係合部材を保持する係合部材の保持力は大きく、一旦取り付けられたシートカバーが容易に外れたり、位置ずれしてしまうことはない。
【０００８】
また、前記第一の係合体および前記第二の係合体は、それぞれ、前記シートカバーに接続される接続部および前記被係合部材を挟む挟持部を有し、前記接続部同士が離れる方向に移動することで前記挟持部同士が近づく方向に移動するように両係合体が回転自在に係合されていればよい。
【０００９】
上記構成とすれば、シートカバーが引っ張られるほど被係合部材を挟み込む係合部材の力が大きくなるため、一旦取り付けられたシートカバーが外れたり、位置ずれしたりすることを防止する効果がさらに高まる。
【００１０】
また、前記被係合部材は、前記ベースカバーに設けられた玉縁であればよい。
【００１１】
このように、ベースカバーに設けられる比較的小さい玉縁を被係合部材として利用する構成であっても、シートカバーが容易に外れたり、位置ずれしてしまうことのない車両用シートとすることができる。また、ベースカバーに被係合部材として機能する部材を新たに設ける必要がなく、製造コストの増加を抑えられる。
【発明の効果】
【００１２】
本発明によれば、シートカバーが引っ張られることで被係合部材に対する係合部材の係合力（保持力）が向上する構成であるから、一旦取り付けられたシートカバーが容易に外れたり、位置ずれしてしまうことはない。
【図面の簡単な説明】
【００１３】
【図１】本発明の一実施形態にかかる車両用シートの外観図であって、シートカバーを一部破断させて示した図である。
【図２】図１に示したＡ−Ａ線断面図である。
【図３】図１に示したＢ−Ｂ線断面図である。
【図４】玉縁（被係合部材）に係合部材が係合される様子を示した図であり、図４（ａ）は玉縁に係合部材が係合される前の状態、図４（ｂ）は玉縁に係合部材が係合された状態を示している。
【発明を実施するための形態】
【００１４】
以下、本発明の一実施形態にかかる車両用シート１について図面を参照しつつ詳細に説明する。なお、以下の説明において、単に幅方向とは、車両用シート１の幅方向（図２および図３における左右方向）をいう。
【００１５】
本実施形態にかかる車両用シート１は、シートパッド１０を覆うベースカバー２０と、このベースカバー２０に対して着脱自在であるシートカバー３０と、を備える。シートパッド１０は、シートのクッション材となる部材であり、発泡成形によって所定の形状に成形されたものである。
【００１６】
ベースカバー２０は、シートパッド１０の全部または一部を覆う。本実施形態にかかる車両用シート１は、シートパッド１０の表面および側面（背面を除く部分）を覆うベースカバー２０を備える。このベースカバー２０には、断面形状が略円形である玉縁２１が形成されている。玉縁２１は、例えばベースカバー２０を構成する布材と布材の境界に沿って形成されている。この玉縁２１は、詳細を後述する係合部材３１が係合する被係合部材として機能する。また、ベースカバー２０の縁には、ファスナなどから構成される被取付部材２２が取り付けられている。
【００１７】
シートカバー３０は、ベースカバー２０に対して着脱自在である、いわゆる着せ替えカバーである。本実施形態にかかる車両用シート１は、このシートカバー３０を異なるデザインのものに切り替えることで、シートデザインを変更することが可能である。すなわち、シートカバー３０に覆われる領域が、ユーザが任意に切り替えることのできるデザイン部分となる。なお、本実施形態にかかる車両用シート１は、シートカバー３０が取り付けられていない状態、すなわち、ベースカバー２０の全部が露出している状態でも使用可能である（ベースカバー２０のみの状態もシートデザインの一態様である）。つまり、上記玉縁２１は、被係合部材として機能するだけでなく、シートカバー３０が取り付けられていない状態でシートを使用する場合の意匠アクセントとなる部材である。
【００１８】
このシートカバー３０には、上記ベースカバー２０の玉縁２１（被係合部材）に係合可能である係合部材３１が取り付けられている。また、シートカバー３０の縁には、例えば線ファスナなどから構成されるベースカバー２０に設けられた被取付部材２２と係合可能である取付部材３２が取り付けられている。
【００１９】
シートカバー３０に取り付けられた係合部材３１について以下詳細に説明する。係合部材３１は、第一の係合体３１１および第二の係合体３１２を有する。第一の係合体３１１および第二の係合体３１２は、それぞれ、接続部３１１ａ，３１２ａおよび挟持部３１１ｂ，３１２ｂを有する。
【００２０】
接続部３１１ａ，３１２ａは、シートカバー３０に接続される部分である。図２〜図４に示されるように、シートカバー３０は、係合部材３１が取り付けられた位置を境界として一方側と他方側に分割されており、一方側のシートカバー３０ａ（一方側（図２〜図４における左側）に延びる部分）に第一の係合体３１１の接続部３１１ａが、他方側のシートカバー３０ｂ（他方側（図２〜図４における右側）に延びる部分）に第二の係合体３１２の接続部３１２ａが接続されている。一方側のシートカバー３０ａおよび他方側のシートカバー３０ｂは、それぞれ、図４（ａ）に示した状態（係合部材３１が玉縁２１に係合されていない状態；開放状態）にある第一の係合体３１１における接続部３１１ａの内側の面および第二の係合体３１２における接続部３１２ａの内側の面を覆うように接続されている。一方、挟持部３１１ｂ，３１２ｂは、接続部３１１ａ，３１２ａと一体的に構成された、断面が略半円形状（略「Ｃ」字形状）の部分である。
【００２１】
このような第一の係合体３１１と第二の係合体３１２は、接続部３１１ａ，３１２ａと挟持部３１１ｂ，３１２ｂの境界部分で回転自在に係合されている。具体的には、回転中心Ｐ（図４を参照）を中心として両係合体それぞれが外側に回転することができるように（第一の係合体３１１は時計回り、第二の係合体３１２は反時計回りに回転することができるように）係合されている。回転中心Ｐを中心として一方の係合体が他方の係合体に対して相対的に回転（移動）した場合、接続部３１１ａ，３１２ａおよび挟持部３１１ｂ，３１２ｂは次のように動く。
【００２２】
第一の係合体３１１の接続部３１１ａと第二の係合体３１２の接続部３１２ａが離れる方向に移動すると、第一の係合部の挟持部３１１ｂと第二の係合体３１２の挟持部３１２ｂが近づく方向に移動する。逆に、第一の係合体３１１の接続部３１１ａと第二の係合体３１２の接続部３１２ａが近づく方向に移動すると、第一の係合部の挟持部３１１ｂと第二の係合体３１２の挟持部３１２ｂが離れる方向に移動する。つまり、挟持部３１１ｂ，３１２ｂの先端同士が離れた「開放状態」（図４（ａ）参照）、または、挟持部３１１ｂ，３１２ｂの先端同士が近づいた「閉鎖状態」（図４（ｂ）参照）に形態を変更することができる。
【００２３】
このようなシートカバー３０に取り付けられた係合部材３１を利用して、シートカバー３０は次のようにベースカバー２０（シート本体）に取り付けられる（取り外される）。まず、係合部材３１の挟持部３１１ｂ，３１２ｂを開放状態として、挟持部３１１ｂ，３１２ｂの内側に玉縁２１を挿入するようにシートカバー３０をベースカバー２０を近づける。そして、一方側のシートカバー３０ａおよび他方側のシートカバー３０ｂを外側に引っ張る（少なくともどちらかのシートカバー３０を外側に引っ張る）。これにより、係合部材３１の接続部３１１ａ，３１２ａ同士が離れる方向に移動し、係合部材３１の挟持部３１１ｂ，３１２ｂ同士が近づく方向に移動する。つまり、係合部材３１の挟持部３１１ｂ，３１２ｂが閉鎖状態となり、玉縁２１が第一の係合体３１１と第二の係合体３１２との間に挟み込まれる。玉縁２１とそれに対応する係合部材３１が複数箇所設けられている場合には、各箇所において同様の操作を行う。これにより、シートカバー３０に取り付けられた係合部材３１と、ベースカバー２０の玉縁２１（被係合部材）が係合する。
【００２４】
そして、ベースカバー２０の縁に取り付けられた被取付部材２２と、シートカバー３０の縁に取り付けられた取付部材３２を係合させる（被取付部材２２および取付部材３２が線ファスナである場合には線ファスナのエレメントを係合させる）。これにより、ベースカバー２０（シート本体）に対するシートカバー３０の取り付けが完了する。
【００２５】
取り付けられたシートカバー３０を取り外す際（別のシートカバー３０と交換する際）には、まず、ベースカバー２０の縁に取り付けられた被取付部材２２と、シートカバー３０の縁に取り付けられた取付部材３２の係合状態を解消する。そして、一方側のシートカバー３０ａおよび他方側のシートカバー３０ｂを外側に引っ張る力を緩め、第一の係合体３１１および第二の係合体３１２をそれぞれの接続部３１１ａ，３１２ａ同士が近づく方向に操作する。これにより、第一の係合体３１１および第二の係合体３１２の挟持部３１１ｂ，３１２ｂ同士が離れる方向に移動し、ベースカバー２０の玉縁２１に対する係合部材３１の係合が解消され、シートカバー３０を取り外すことが可能となる。
【００２６】
このように、本実施形態にかかる車両用シート１では、ベースカバー２０の玉縁２１（被係合部材）とシートカバー３０に取り付けられた係合部材３１の係合、および、ベースカバー２０に取り付けられた被取付部材２２とシートカバー３０に取り付けられた取付部材３２の係合（例えば線ファスナ）によりシートカバー３０がベースカバー２０（シート本体）に取り付けられる。なお、被取付部材２２と取付部材３２が係合する構成は必須ではない。すなわち、玉縁２１（被係合部材）と係合部材３１の係合によってのみシートカバー３０がベースカバー２０に取り付けられる構成としてもよい。
【００２７】
以上説明した本実施形態にかかる車両用シート１によれば、次のような作用効果が奏される。
【００２８】
本発明にかかる車両用シート１は、係合部材３１の第一の係合体３１１と第二の係合体３１２の間に玉縁２１（被係合部材）が挟まれることによりシートカバー３０がベースカバー２０に取り付けられる。そして、係合部材３１は、シートカバー３０の一方側に延びる部分３０ａに接続された第一の係合体３１１と他方側に延びる部分３０ｂに接続された第二の係合体３１２を有し、シートカバー３０の一方側に延びる部分３０ａおよび他方側に延びる部分３０ｂの少なくともいずれか一方が引っ張られることで、第一の係合体３１１および第二の係合体３１２の一方が他方に対して相対的に回転（移動）し、第一の係合体３１１の挟持部３１１ｂと第二の係合体３１２の挟持部３１２ｂの間に玉縁２１が挟み込まれる。つまり、シートカバー３０の一方側に延びる部分３０ａおよび他方側に延びる部分３０ｂの少なくともいずれか一方が引っ張られることで、第一の係合体３１１と第二の係合体３１２の間に玉縁２１が強固に挟み込まれる。
【００２９】
このように、本実施形態にかかる車両用シート１は、一方側のシートカバー３０ａおよび他方側のシートカバー３０ｂが外側に引っ張られる力が大きくなればなるほど、係合部材３１（挟持部３１１ｂ，３１２ｂ）による玉縁２１を挟み込む力が増大する構成である。シートカバー３０は、シートの最も外表面側に位置し、シートに乗員が着座すると全体が伸びるように引っ張られた状態となる。つまり、シートカバー３０の外れや位置ずれが生じやすい状態である「乗員が着座した状態」において、係合部材３１（挟持部３１１ｂ，３１２ｂ）による玉縁２１を挟み込む力が増大し、シートカバー３０の外れや位置ずれを防止する効果が高まる点で特に優れるものである。
【００３０】
また、本実施形態では、ベースカバー２０に設けられている玉縁２１を利用してシートカバー３０を取り付ける構成であるため、別途シートカバー３０を取り付けるための部材を設ける必要がなく、製造コストの増加を抑えられる。
【００３１】
また、一方側のシートカバー３０ａおよび他方側のシートカバー３０ｂは、図４（ａ）に示した状態（開放状態）における第一の係合体３１１の接続部３１１ａの内側および第二の係合体３１２の接続部３１２ａの内側の面を覆うように接続されている。したがって、図２、図３、図４（ｂ）に示した係合部材３１を玉縁２１に係合させた状態（閉鎖状態）において、第一の係合体３１１および第二係合体のほとんどがシートカバー３０に覆われた状態となるから、係合部材３１の存在によってシートの美的外観が損なわれてしまうことが防止される。
【００３２】
また、第一の係合体３１１および第二の係合体３１２の挟持部３１１ｂ，３１２ｂは、断面が略半円形状（略「Ｃ」字形状）に構成されており、両挟持部３１１ｂ，３１２ｂが近づくとフックのように玉縁２１を挟み込んで保持する。したがって、第一の係合体３１１と第二の係合体３１２の挟持部３１１ｂ，３１２ｂの間に挟み込まれた玉縁２１が外れにくい。
【００３３】
以上、本発明の実施形態について詳細に説明したが、本発明は上記実施形態に何ら限定されるものではなく、本発明の要旨を逸脱しない範囲で種々の改変が可能である。
【符号の説明】
【００３４】
１          車両用シート
１０        シートパッド
２０        ベースカバー
２１        玉縁（被係合部材）
３０        シートカバー
３０ａ      シートカバーの一方側に延びる部分（一方側のシートカバー）
３０ｂ      シートカバーの他方側に延びる部分（他方側のシートカバー）
３１        係合部材
３１１      第一の係合体
３１１ａ    接続部
３１１ｂ    挟持部
３１２      第二の係合体
３１２ａ    接続部
３１２ｂ    挟持部
【図１】
2012223262.tif 000003
【図２】
2012223262.tif 000004
【図３】
2012223262.tif 000005
【図４】
2012223262.tif 000006